(57)【要約】【課題】送風手段の送風能力を考慮し、遊技者に対し、特定の遊技状態が発生したことを強いインパクトをもって認識させることができる遊技機を提供すること。【解決手段】遊技機は、所定条件を満たしたとき、遊技者に対し送風する送風手段９を作動させる。送風手段９の流体流路となる送風孔５に、送風孔５を開閉する遮蔽部材６を設ける。遮蔽部材６は、送風手段９の作動開始から送風手段９の送風能力が所定レベルに増大するまでの期間、送風孔５を閉鎖する。前記期間が経過した後は、送風孔５を開放し、送風孔５に風を通過させる。【選択図】図４
2008023169.tif 000002
【特許請求の範囲】
【請求項１】
所定条件を満たしたとき、遊技者に対し送風する送風手段を作動させる遊技機において、
前記送風手段の流体流路に、該流体流路を開閉する遮蔽部材を設け、該遮蔽部材は、前記送風手段の作動開始から該送風手段の送風能力が所定レベルに増大するまでの期間、前記流体流路を閉鎖し、かつ、前記期間が経過した後、前記流体流路を開放することを特徴とする遊技機。
【請求項２】
所定条件を満たしたとき、遊技者に対し送風する送風手段を作動させる遊技機において、
前記送風手段の送風方向を変更可能にする送風方向変更手段を設け、該送風方向変更手段は、前記送風手段の作動開始から該送風手段の送風能力が所定レベルに増大するまでの期間、前記送風手段の送風方向を遊技者に対する送風方向と一致させないでおき、かつ、前記期間が経過した後、前記送風手段の送風方向を遊技者に対する送風方向と一致させることを特徴とする遊技機。
【発明の詳細な説明】
【技術分野】
【０００１】
本発明は、パチンコ遊技機、スロットマシンなど遊技機に関する。
【背景技術】
【０００２】
従来から、特定の遊技状態が発生したことを遊技者に報知するために、遊技球を発射させる際に操作される発射ハンドル又は発射ハンドルの周囲から遊技者の手に向けて空気を連続的又は間欠的に吹き出させる送風手段を備え、送風手段から吹き出される風の圧力を手で感じ取らせることによって遊技者に対し特定の遊技状態が発生したことを認識させる遊技機が提案されている（例えば、特許文献１−３参照）。
【特許文献１】特開２００３−１１７０８５公報
【特許文献２】特開２００４−１０５２４２公報
【特許文献３】特開２００５−１６０８２７公報
【発明の開示】
【発明が解決しようとする課題】
【０００３】
しかし、上記従来の遊技機は、送風手段の送風能力を問題としていないため、通常、送風手段が作動を開始してから送風手段の送風能力が最大レベルに達するまでの間、遊技者の手は、圧力が徐々に増大してゆく風を感じ取ることとなり、遊技者に対し、特定の遊技状態が発生したことを強いインパクトをもって認識させることに欠けるという問題がある。
【０００４】
本発明は、上記のような従来技術の問題点を解決し、送風手段の送風能力を考慮し、遊技者に対し、特定の遊技状態が発生したことを強いインパクトをもって認識させることができる遊技機を提供することを目的とする。
【課題を解決するための手段】
【０００５】
本発明の遊技機は、所定条件を満たしたとき、遊技者に対し送風する送風手段を作動させる遊技機において、前記送風手段の流体流路に、該流体流路を開閉する遮蔽部材を設け、該遮蔽部材は、前記送風手段の作動開始から該送風手段の送風能力が所定レベルに増大するまでの期間、前記流体流路を閉鎖し、かつ、前記期間が経過した後、前記流体流路を開放することを特徴とする。
【０００６】
本発明の遊技機によると、送風手段が作動開始してから送風手段の送風能力が所定レベルまで増大するまでの期間、流体流路が閉鎖され、遊技者に対する送風は行われず、その後、送風手段の送風能力が所定レベルまで増大すると、流体流路が開放され、遊技者に対して送風が行われるようになる。このため、遊技者が送風を始めて感じ取るときの風力は十分に大きく、遊技者はこの大きな風力の送風を急激に受けることとなり、所定条件が満たされたこと、つまり、大当たり予告やリーチなど特定の遊技状態が発生したことを強いインパクトをもって認識することができるようになる。
【０００７】
また、本発明の遊技機は、所定条件を満たしたとき、遊技者に対し送風する送風手段を作動させる遊技機において、前記送風手段の送風方向を変更可能にする送風方向変更手段を設け、該送風方向変更手段は、前記送風手段の作動開始から該送風手段の送風能力が所定レベルに増大するまでの期間、前記送風手段の送風方向を遊技者に対する送風方向と一致させないでおき、かつ、前記期間が経過した後、前記送風手段の送風方向を遊技者に対する送風方向と一致させることを特徴とする。
【０００８】
本発明の遊技機によると、送風手段が作動開始してから送風手段の送風能力が所定レベルまで増大するまでの期間、送風手段の送風方向は遊技者に対し送風できない送風方向に送風するため、遊技者に対する送風は行われず、その後、送風手段の送風能力が所定レベルまで増大すると、送風方向変更手段は、送風手段の送風方向を遊技者に対し送風できる送風方向に一致させるため、遊技者に対して送風が行われるようになる。このため、遊技者が送風を始めて感じ取るときの送風の風力は十分に大きく、遊技者はこの大きな風力の送風を急激に受けることとなり、所定条件が満たされたこと、つまり、大当たり予告やリーチなど特定の遊技状態が発生したことを強いインパクトをもって認識することができるようになる。
【発明を実施するための最良の形態】
【０００９】
以下、本発明の実施形態を図面に基づいて説明する。
【００１０】
図１は、本発明の一実施形態に係るパチンコ遊技機の要部正面図、図２は、図１の要部拡大図、図３は、同パチンコ遊技機において前面枠を開いた状態の正面図、図４は、第１実施形態に係る送風手段及び遮蔽部材の配置図、図５は、第１実施形態において、送風手段が作動開始してから送風手段の送風能力が所定レベルに達するまでの期間におけるパチンコ遊技機の要部側面図、図６は、第１実施形態において、上記期間経過後におけるパチンコ遊技機の要部側面図、図７は、送風制御フローチャート、図８は、第２実施形態に係る送風手段及び送風方向変更手段の構成図、図９は、第２実施形態において、送風手段が作動開始し送風手段の送風能力が所定レベルに達した後における送風手段及び送風方向変更手段の構成図、図１０は、第１実施形態の変形例であり、送風制御ユニットの斜視図、図１１は、同送風制御ユニットにおいて、送風手段の送風能力が所定レベルに達した後における送風制御ユニットの構成図をそれぞれ示す。
【００１１】
図１〜図６において、パチンコ遊技機の前面枠１の正面下部右端部には、遊技球を遊技盤２の遊技領域３に発射させるために遊技者によって操作される発射ハンドル４が設けられている。
【００１２】
前面枠１には、発射ハンドル４の周囲（本実施形態では、発射ハンドル４の上方位置）に前後方向に貫通した送風孔５が設けられている。
【００１３】
前面枠１の後面（裏面）には、送風孔５を開閉する遮蔽部材６が配されている。遮蔽部材６は、電動アクチュエータ例えば電磁ソレノイド７の可動ロッド７aの下端部に連結される。遮蔽部材６は、通常時は、電動アクチュエータ７がオフ状態に維持され可動ロッド７aが下端位置にあるため下端位置に維持され、送風孔５を閉鎖状態に保つ（図５参照）。また、遮蔽部材６は、電動アクチュエータ７がオンすると、可動ロッド７aが上昇するため、上端位置まで変位し、送風孔５を開放する（図６参照）。電動アクチュエータ７の動作は、パチンコ遊技機の遊技状態を制御する主基板等の回路基板（図示せず。）の制御信号に基づいて制御される。
【００１４】
前面枠１の後方の遊技盤取付枠８には、送風手段９が配設される。送風手段９は、図４に示すように、送風ファン１０と送風ダクト１１とを備える。送風ダクト１１は、遮蔽部材６が送風孔５を開放しているとき、送風ファン１０の回転により発生した風を送風孔５に向けて送風できるよう送風孔５に対して対向配置される。
【００１５】
次に、送風制御方法を図７のフローチャートに基づいて説明する。
【００１６】
まず、送風ファン１０を作動させるための所定条件が充足されたか否かを判断する（ステップS1）。ここで、所定条件とは、遊技中に遊技者に積極的に遊技状態の変化を知らせたい場合が発生したことであり、例えば、特定の遊技状態例えば大当たり予告やリーチなどが発生したことを挙げることができる。上記所定条件が充足されていないときは、電動アクチュエータ７はオフ状態に維持され、可動ロッド７aを介して遮蔽部材６が下端位置に維持され、送風孔５は閉鎖状態に保たれる。
【００１７】
上記所定条件が充足されるようになると、送風ファン１０を作動開始する（ステップS2）。送風ファン１０が作動開始されると、送風ファン１０の回転により風が発生し、送風ダクト１１から風が吹出されるようになる。しかし、この時点では、図５に示すように、遮蔽部材６は、電動アクチュエータ７がオフ状態であることから依然として下端位置に維持され送風孔５を閉鎖しているため、送風ダクト１１から吹出された風は送風孔５を通過することができない。したがって、発射ハンドル４を操作している遊技者の手に風が当たることはない。また、この送風ファン１０の作動開始直後においては、送風ファン１０の送風能力が低いため、送風ダクト１１から吹出される風の風力は小さい。
【００１８】
その後、送風ファン１０の作動開始から所定時間が経過したか否かを判断する（ステップS3）。ここで、所定時間とは、送風ファン１０が作動開始してから送風ファン１０の送風能力が所定レベル（例えば、ファンの回転が１０回/秒）に達するまでの時間、換言すると、送風ファン１０が作動開始してから送風ファン１０が発生する風の風力が所定レベルに達するまでの時間である。
【００１９】
所定時間が経過すると、電動アクチュエータ７を作動し、可動ロッド７aを上昇させて遮蔽部材６を上端位置まで変位させる（ステップS4）。遮蔽部材６が上端位置へ変位すると、図６に示すように、送風孔５が開放状態となり、送風ダクト１１から吹出される風は、送風孔５を通過し、発射ハンドル４を操作している遊技者の手に当たるようになる。この手に当たる風は、送風能力が所定レベルに達した後の送風ファン１０による風であり、風力が大きいため、遊技者は、この送風をしっかり感じ取ることができ、遊技状態が変化したことを容易に認識できるようになる。
【００２０】
その後、遮蔽部材６の開放開始から所定時間が経過したか否かを判断する（ステップS5）。ここで、所定時間は、少なくとも遊技者が送風を確実に感じ取ることができる最小時間よりも長い時間に設定される。
【００２１】
所定時間が経過すると、電動アクチュエータ７の作動を停止し、可動ロッド７aを介して遮蔽部材６を下端位置まで復帰させると共に、送風ファン１０の作動を停止する（ステップS6）。遮蔽部材６が下端位置まで復帰することにより、送風孔５は閉鎖状態に復帰し、送風孔５から風が吹き出されないようになる。
【００２２】
以上説明したように、第１実施形態のパチンコ遊技機は、所定条件を満たしたとき、遊技者に対し送風する送風手段９を作動させる遊技機において、送風手段９の流体流路（送風孔５）に、流体流路５を開閉する遮蔽部材６を設け、遮蔽部材６は、送風手段９の作動開始から送風手段９の送風能力が所定レベルに増大するまでの期間、流体流路５を閉鎖し、かつ、前記期間が経過した後、流体流路５を開放する。
【００２３】
第１実施形態のパチンコ遊技機によると、送風手段９が作動開始してから送風手段９の送風能力が所定レベルまで増大するまでの期間、流体流路５が閉鎖され、遊技者に対する送風は行われず、その後、送風手段９の送風能力が所定レベルまで増大すると、流体流路５が開放され、遊技者に対して送風が行われるようになる。このため、遊技者が送風を初めて感じ取るときの風力は十分に大きく、遊技者はこの大きな風力の送風を急激に受けることとなり、所定条件が満たされたこと、つまり、大当たり予告やリーチなど特定の遊技状態が発生したことを強いインパクトをもって認識することができるようになる。
【００２４】
図８及び図９において、第２実施形態に係るパチンコ遊技機は、前面枠１の正面に設けられた発射ハンドル４の周囲に、前後方向に貫通した送風孔５を備える。
【００２５】
送風孔５には、後方から送風手段９が接続され、この送風手段９に送風方向変更手段１３が設けられる。
【００２６】
送風手段９は、第１実施形態と同様、送風ファン１０と送風ダクト１１とを備えると共に、送風ダクト１１の出口に接続される可撓性チューブ１２を備える。
【００２７】
送風方向変更手段１３は、可撓性チューブ１２の先端部１２aに固定されたチューブ先端保持部１４と、このチューブ先端保持部１４に連結された可動ロッド７aを有する電動アクチュエータ例えば電磁ソレノイド７とを有する。
【００２８】
チューブ先端保持部１４は、通常時は、電動アクチュエータ７がオフ状態に維持され可動ロッド７aが下端位置にあるため下端位置に維持され、可撓性チューブ１２の先端部１２aを送風孔５と連通させない位置に維持し、送風ファン１０で発生し、送風ダクト１１、可撓性チューブ１２を経て可撓性チューブ１２の先端部１２aから吹き出される風が送風孔５を通過しないようにする（図８参照）。また、チューブ先端保持部１４は、電動アクチュエータ７がオンすると、可動ロッド７aが上昇するため、上端位置まで変位し、可撓性チューブ１２の先端部１２aを送風孔５に連通させ、送風ファン１０で発生し、送風ダクト１１、可撓性チューブ１２を経て可撓性チューブ１２の先端部１２aから吹き出される風が送風孔５を通過できるようにする（図９参照）。
【００２９】
図８及び図９に示す第２実施形態も上述した第１実施形態と同様な送風制御方法によって送風制御を行う。
【００３０】
すなわち、電動アクチュエータ７をオフ状態に維持した状態で所定条件が充足されるようになると、送風ファン１０を作動開始し、送風ファン１０の回転により発生した風は、送風ダクト１１を経て可撓性チューブ１２から吹出されようとする。しかし、この時点では、図８に示すように、可撓性チューブ１２の先端部１２aは、電動アクチュエータ７がオフ状態であることから依然として下端位置に維持され送風孔５と連通していないため、可撓性チューブ１２から吹出される風は前面枠１で遮断され送風孔５を通過することができない。したがって、発射ハンドル４を操作している遊技者の手に風が当たることはなく、また、この送風ファン１０の作動開始直後における送風ファン１０の送風能力が低いため、可撓性チューブ１２から吹出されようとする風の風力は小さい。その後、送風ファン１０の作動開始から所定時間が経過すると、電動アクチュエータ７を作動し、可動ロッド７aを上昇させて可撓性チューブ１２の先端部１２aを上端位置まで変位させ、図９に示すように、可撓性チューブ１２の先端部１２aを送風孔５に連通させる。この連通により、可撓性チューブ１２から吹出される風は、送風孔５を通過し、発射ハンドル４を操作している遊技者の手に当たるようになる。この手に当たる風は、送風能力が所定レベルに達した後の送風ファン１０による風であり、風力が大きいため、遊技者は、この送風をしっかり感じ取ることができ、遊技状態が変化したことを容易に認識できるようになる。その後、可撓性チューブ１２と送風孔５との連通開始から所定時間が経過すると、電動アクチュエータ７の作動を停止し、可動ロッド７aを介して可撓性チューブ１２の先端部１２aを下端位置まで復帰させると共に、送風ファン１０の作動を停止する。可撓性チューブ１２の先端部１２aが下端位置まで復帰することにより、可撓性チューブ１２と送風孔５が非連通状態に復帰し、送風孔５から風が吹き出されないようになる。
【００３１】
以上説明したように、第２実施形態のパチンコ遊技機は、所定条件を満たしたとき、遊技者に対し送風する送風手段９を作動させる遊技機において、送風手段９の送風方向を変更可能にする送風方向変更手段１３を設け、送風方向変更手段１３は、送風手段９の作動開始から送風手段９の送風能力が所定レベルに増大するまでの期間、送風手段９の送風方向を遊技者に対する送風方向と一致させないでおき、かつ、前記期間が経過した後、送風手段９の送風方向を遊技者に対する送風方向と一致させる。
【００３２】
第２実施形態のパチンコ遊技機によると、送風手段９が作動開始してから送風手段９の送風能力が所定レベルまで増大するまでの期間、送風手段９の送風方向は遊技者に対し送風できない送風方向に送風するため、遊技者に対する送風は行われず、その後、送風手段９の送風能力が所定レベルまで増大すると、送風方向変更手段１３は、送風手段９の送風方向を遊技者に対し送風できる送風方向に一致させるため、遊技者に対して送風が行われるようになる。このため、遊技者が送風を始めて感じ取るときの送風の風力は十分に大きく、遊技者はこの大きな風力の送風を急激に受けることとなり、所定条件が満たされたこと、つまり、大当たり予告やリーチなど特定の遊技状態が発生したことを強いインパクトをもって認識することができるようになる。
【００３３】
図１０及び図１１において、第１実施形態の変形例に係る送風制御ユニット１００は、送風ファン１０と送風ダクト１１とを有する送風手段９と、送風ダクト１１の吹出し口１１aを開閉する遮蔽部材６を駆動する電動アクチュエータ例えば電磁ソレノイド７を一枚の取付板２０に固定して構成される。
【００３４】
この送風制御ユニット１００において、送風ファン１０の送風能力が所定レベルに達するまでの間は、電動アクチュエータ７はオフ状態に維持され、可動ロッド７aは下端位置に維持され、可動ロッド７aに固定された遮蔽部材６は、図１０に示すように、送風ダクト１１の吹出し口１１aを閉鎖状態に保ち、また、送風ファン１０の送風能力が所定レベルに達すると、電動アクチュエータ７はオンし、図１１に示すように、可動ロッド７aが上端位置まで変位して遮蔽部材６は送風ダクト１１の吹出し口１１aを開放する。
【００３５】
この送風制御ユニット１００によると、送風手段９、電動アクチュエータ７及び遮蔽部材６がユニット化されているため、パチンコ遊技機への取付作業が容易になる。
【００３６】
なお、送風ファン１０を作動させたときに、その作動音が遊技者に聞こえてしまうような場合、遊技者は、送風を感じ取る前に、これから送風が行われることを事前に感じ取ってしまうこととなり、遊技者に対する送風によるインパクトが弱くなってしまう。そのため、送風ファン１０を作動させても、遮蔽部材６や送風方向変更手段１３を作動させず、遊技者に対して送風を行わない場合を積極的に取り入れるようにしてもよい。このように送風ファン１０は作動しているが送風が行われない場合もあることにより、遊技者は、意外性を感じるようになり、興趣をもって遊技を行うことになる。
【図面の簡単な説明】
【００３７】
【図１】本発明の一実施形態に係るパチンコ遊技機の要部正面図である。
【図２】図１の要部拡大図である。
【図３】同パチンコ遊技機において前面枠を開いた状態の正面図である。
【図４】第１実施形態に係る送風手段及び遮蔽部材の配置図である。
【図５】第１実施形態において、送風手段が作動開始してから送風手段の送風能力が所定レベルに達するまでの期間におけるパチンコ遊技機の要部側面図である。
【図６】第１実施形態において、上記期間経過後におけるパチンコ遊技機の要部側面図である。
【図７】送風制御フローチャートである。
【図８】第２実施形態に係る送風手段及び送風方向変更手段の構成図である。
【図９】第２実施形態において、送風手段が作動開始し送風手段の送風能力が所定レベルに達した後における送風手段及び送風方向変更手段の構成図である。
【図１０】第１実施形態の変形例であり、送風制御ユニットの斜視図である。
【図１１】同送風制御ユニットにおいて、送風手段の送風能力が所定レベルに達した後における送風制御ユニットの構成図である。
【符号の説明】
【００３８】
５    送風孔（流体流路）
６    遮蔽部材
９    送風手段
１３    送風方向変更手段
【図１】
2008023169.tif 000003
【図２】
2008023169.tif 000004
【図３】
2008023169.tif 000005
【図４】
2008023169.tif 000006
【図５】
2008023169.tif 000007
【図６】
2008023169.tif 000008
【図７】
2008023169.tif 000009
【図８】
2008023169.tif 000010
【図９】
2008023169.tif 000011
【図１０】
2008023169.tif 000012
【図１１】
2008023169.tif 000013